(57)【要約】【課題】機器本体に対し機枠体が装着可能に設けられた遊技機であって、機器本体と機枠体との間の配線をコードレス化する遊技機を提供する。【解決手段】機器本体１に対し機枠体３０を装着することにより構成される遊技機であって、前記機器本体１に外部から電力供給を受ける電源回路４０と制御回路４１とを備え、前記機枠体３０に電気機器３５および該電気機器３５を制御する制御回路５５を設け、前記機枠体３０を前記機器本体１に装着すると互いに正対するように該機器本体１と該機枠体３０に其々アンテナ回路２４，３４を設け、前記アンテナ回路２４，３４を介して、前記機器本体１の制御回路４１と前記機枠体３０の制御回路５５との間で制御信号を送受信すると同時に、前記電源回路４０から前記機枠体３０の電気機器３５および制御回路５５に作動用電力が供給されるようにする。【選択図】図５
2009153659.tif 000002
【特許請求の範囲】
【請求項１】
機器本体に対し機枠体を装着することにより構成される遊技機であって、前記機器本体に外部から電力供給を受ける電源回路と制御回路とを備え、前記機枠体に電気機器および該電気機器を制御する制御回路を設け、前記機枠体を前記機器本体に装着すると互いに正対するように該機器本体と該機枠体に其々アンテナ回路を設け、前記アンテナ回路を介して、前記機器本体の制御回路と前記機枠体の制御回路との間で制御信号を送受信すると同時に、前記電源回路から前記機枠体の制御回路および電気機器に作動用電力が供給されるようにしたことを特徴とする遊技機。
【請求項２】
前記機枠体に蓄電回路を設け、前記アンテナ回路を経由して前記機枠体に供給された電力を蓄電するようにしたことを特徴とする請求項１に記載の遊技機。
【請求項３】
前記機枠体に受電電力監視回路を設け、前記アンテナ回路を経由して前記機枠体に供給される電力の受電状態を監視するようにしたことを特徴とする請求項１または請求項２に記載の遊技機。
【請求項４】
機器本体に対し機枠体を装着することにより構成される遊技機であって、前記機枠体に外部から電力供給を受ける電源回路と制御回路とを備え、前記機器本体に電気機器および該電気機器を制御する制御回路を設け、前記機枠体を前記機器本体に装着すると互いに正対するように該機器本体と該機枠体に其々アンテナ回路を設け、前記アンテナ回路を介して、前記機器本体の制御回路と前記機枠体の制御回路との間で制御信号を送受信すると同時に、前記電源回路から前記機器本体の制御回路および電気機器に作動用電力が供給されるようにしたことを特徴とする遊技機。
【請求項５】
前記機器本体に蓄電回路を設け、前記アンテナ回路を経由して前記機器本体に供給された電力を蓄電するようにしたことを特徴とする請求項４に記載の遊技機。
【請求項６】
前記機器本体に受電電力監視回路を設け、前記アンテナ回路を経由して前記機器本体に供給される電力の受電状態を監視するようにしたことを特徴とする請求項４または請求項５に記載の遊技機。
【発明の詳細な説明】
【技術分野】
【０００１】
本発明は、機器本体に対し機枠体が装着可能に設けられた遊技機であって、機器本体と機枠体との間の配線をコードレス化する遊技機に関するものである。
【背景技術】
【０００２】
例えばパチンコ遊技機は、周知のように、機器本体に機枠体が装着されている。このような機枠体であって、蝶番によって開閉可能に設けられているものとしては、機器本体の前面に取り付けられる透明板保持枠や機器本体の後面に取り付けられる機構板が挙げられる。また、機器本体に嵌め込むように取り付けられる機枠体としては遊技盤が挙げられる。そして、電源装置が供給する電力により、機器本体および各機枠体に配設された各種の電気機器や電気回路が駆動される。前記電気機器には、例えば、ソレノイドやモータ等の電気的駆動源、ランプや発光ダイオード等の発光機器、液晶表示装置等の表示機器、音声再生機器等の音響機器、操作ハンドルや操作スイッチ等の操作機器等が含まれる。これらの電気機器は制御回路が発する制御信号によりコントロールされ、この制御信号は機器本体と機枠体との間で相互に送受信される。そして、従来のパチンコ遊技機では機枠体の各種電気機器への電力供給や制御信号の送受信のため、機器本体と機枠体との間に電力線や多数の通信線が束状に配線されていた。
【０００３】
下記特許文献１に示された遊技機は、雄コネクタと雌コネクタとからなる配線接続手段を機器本体側と機枠体側に設けている。また、下記特許文献２に示された遊技機は、機器本体と機枠体の双方に設けた金具を接触させることで電気的導通を図り、配線を省略するようにしている。また、下記特許文献３に示された遊技機は、導電性の蝶番を介して電力が機器本体から機枠体に供給されると共に、制御信号が無線で送受信されるようにしている。
【特許文献１】特開平８−１５０２５４号公報
【特許文献２】特開２００２−６６０４９号公報
【特許文献３】特開２００４−１８８１６６号公報
【０００４】
図８に従来の配線接続手段を採用したパチンコ遊技機の概略図を示す。図中（ａ）は、機器本体１０１の前面に蝶番によって開閉可能に設けられた透明板保持枠１０２を開き、機器本体１０１の前面と透明板保持枠１０２の後面を露出させた状態の概略図である。また、図中（ｂ）は、機器本体の後面に蝶番によって開閉可能に設けられた機構板１０３を開き、機器本体１０１の後面と機構板１０３の前面を露出させた状態の概略図である。なお、機器本体１０１には遊技盤１０４が取り付けられている。
【０００５】
パチンコ遊技機への電力供給元である電源基板１０５は機構板１０３に設けられており、外部の交流（ＡＣ）電力２４Ｖが入力として接続されている。機器本体１０１、透明板保持枠１０２、機構板１０３、および、遊技盤１０４には、各種の制御基板１０６が設けられ、これらの制御基板１０６へ前記電源基板１０５から電力線１０７が配線されている。加えて、各制御基板１０６間で送受信される制御信号を伝達する信号線１０８が同様に配線され、これらの電力線１０７および信号線１０８は束状にまとめられている。なお、透明板保持枠１０２の制御基板１０６への配線は機器本体１０１に設けられた貫通孔１０９に電力線１０７および信号線１０８を挿通させて行なっている。このように、機器本体１０１、透明板保持枠１０２、機構板１０３、および、遊技盤１０４間の電力線１０７および信号線１０８の配線は煩雑になってしまう。
【発明の開示】
【発明が解決しようとする課題】
【０００６】
ところで近時の遊技機は、機枠体に多数のランプ、発光ダイオード等の電飾が取り付けられ、遊技状況に応じて点灯状態を複雑に制御して多様な演出を行なっている。また、遊技盤に大型の液晶表示装置が設けられるなどして、他の部品の設置スペースが狭くなり設計の自由度が制限されている。このため、従来の電力線と通信線等の電気ケーブルによる有線接続手段では、非常に多数の配線をする必要があり、配線が複雑化して多くのスペースが占有されてしまう問題があった。加えて、配線数が増加すると必然的に電気ケーブル同士を繋ぐ雄雌のコネクタの数も増加し、これらのコネクタを配設するスペースの確保が難しい問題が生じていた。また、電気ケーブルによる有線接続手段では、透明板保持枠や機構板を開閉したり遊技盤を取り付けたりする際に配線噛みを起こしやすく、故障の原因となるものであった。一方、上記特許文献３に開示された方法では、導電性の蝶番を介して機枠体に電力を供給することで、電力供給用のコネクタの設置や電気ケーブルの配線を不要としている。しかし、この方法は、スペースの確保に貢献するものの、蝶番における漏電や短絡あるいは接触不良の発生により、送電が途絶えるおそれがあった。
【課題を解決するための手段】
【０００７】
そこで、本願の第一発明は上記のような課題を解決するために、機器本体に対し機枠体を装着することにより構成される遊技機であって、前記機器本体に外部から電力供給を受ける電源回路と制御回路とを備え、前記機枠体に電気機器および該電気機器を制御する制御回路を設け、前記機枠体を前記機器本体に装着すると互いに正対するように該機器本体と該機枠体に其々アンテナ回路を設け、前記アンテナ回路を介して、前記機器本体の制御回路と前記機枠体の制御回路との間で制御信号を送受信すると同時に、前記電源回路から前記機枠体の制御回路および電気機器に作動用電力が供給されるようにしたことを特徴とする。
【０００８】
また、本願の第一発明は、前記機枠体に蓄電回路を設け、前記アンテナ回路を経由して前記機枠体に供給された電力を蓄電するようにしたことを特徴とする。
【０００９】
さらに、本願の第一発明は、前記機枠体に受電電力監視回路を設け、前記アンテナ回路を経由して前記機枠体に供給される電力の受電状態を監視するようにしたことを特徴とする。
【００１０】
一方、本願の第二発明は、機器本体に対し機枠体を装着することにより構成される遊技機であって、前記機枠体に外部から電力供給を受ける電源回路と制御回路とを備え、前記機器本体に電気機器および該電気機器を制御する制御回路を設け、前記機枠体を前記機器本体に装着すると互いに正対するように該機器本体と該機枠体に其々アンテナ回路を設け、前記アンテナ回路を介して、前記機器本体の制御回路と前記機枠体の制御回路との間で制御信号を送受信すると同時に、前記電源回路から前記機器本体の制御回路および電気機器に作動用電力が供給されるようにしたことを特徴とする。
【００１１】
また、本願の第二発明は、前記機器本体に蓄電回路を設け、前記アンテナ回路を経由して前記機器本体に供給された電力を蓄電するようにしたことを特徴とする。
【００１２】
さらに、本願の第二発明は、前記機器本体に受電電力監視回路を設け、前記アンテナ回路を経由して前記機器本体に供給される電力の受電状態を監視するようにしたことを特徴とする。
【発明の効果】
【００１３】
本発明の遊技機によれば、機器本体から機枠体へ又は機枠体から機器本体への電力供給と、機器本体と機枠体間における制御信号の送受信との双方が、共通のアンテナ回路を介してコードレス（無線）で行なうことができる。従って、多数の電気ケーブルおよびコネクタを不要化して部品点数を削減し、多くのスペースを確保して設計の自由度を大きく向上させることができる。また、機枠体を装着するに際しても、コネクタの対応関係を逐一確認しながら電気ケーブルを配線する必要がなくなり、設置が極めて容易になる。さらに、電気ケーブルの配線が不要であるため、機枠体の開閉時や取付時に懸念されていた配線噛みによる断線が皆無になる。加えて、蝶番等の導電性金属を介した電力供給をしないことで、接触不良による送電停止等の不具合が避けられると共に、漏電や短絡等の事故を防止して安全性を向上させることができる。
【００１４】
また、本発明の遊技機によれば、無線電力送信により供給された電力を蓄電回路に蓄電しておき、必要に応じてこの蓄電された電力を利用することで、電気機器や電気回路に対して更に安定して電力を供給できるようになる。また、蓄電された電力の利用により、例えば、ソレノイドやモータ等の比較的大電力を消費する電気機器を安定して駆動させることができるようになる。
【００１５】
さらに、本発明の遊技機によれば、受電電力監視回路が無線電力送信の受電状態を常時監視することにより、電力供給に異常が発生したら、これを直ちに検出できるようになる。従って例えば、電圧降下が検知されたら警報が鳴るようにしておき、遊技者が機枠体を無理にこじ開けたりする等の不正行為を防止できるようになる。同様に、メンテナンス等で機枠体を脱着した際に機枠体の取り付けが正確かどうかを容易に確認できるようになる。
【発明を実施するための最良の形態】
【００１６】
次に図面に従い本発明の遊技機の第一実施形態を説明する。先ず、遊技機の透明板保持枠を開いた状態の正面図である図１に従って、遊技機の概要を説明する。機器本体１の前面中央に遊技盤２が設けられる。また、機器本体１の前面には透明板保持枠３が該機器本体１の一側に設けられた蝶番４により開閉可能に軸着される。この透明板保持枠３の後面にはガラスやプラスチックからなる透明板５が設けられ、透明板保持枠３を前記機器本体１に対して閉じると、前記遊技盤２が透明板５越しに視認できるようになっている。さらに、前記機器本体１の後面には枠状に形成された機構板６（図１では後側のため見えない）が蝶番により開閉可能に軸着されている。
【００１７】
前記遊技盤２の中央は遊技領域７となっている。この遊技領域７の中央よりやや上方に大型の液晶パネルを備える表示装置８が設けられる。そして、前記表示装置８の側方に通過ゲート９が設置され、また、下方には開閉入賞装置１０が設置され、さらにその下方に大入賞口１１が設けられる。遊技領域７の下部であって前記大入賞口１１の両側方に、ランプや発光ダイオードが組み込まれた装飾部材１２が設けられる。また、風車１３や多数の釘１４が其々適宜位置に配設される。
【００１８】
前記機器本体１の前面下部の一側方には操作ハンドル１５が設けられる。また、機器本体１の内部であって前記遊技盤２の下方に打球発射装置１６が設けられる。この打球発射装置１６はパチンコ球を遊技領域７に発射するものであり、その打球力は前記操作ハンドル１５の回転操作の大小により調節される。また、前記透明板保持枠３の前面下部に球受皿１７が設けられる。この球受皿１７の後面には打球供給装置１８が設けられ、前記球受皿１７内のパチンコ球が打球供給装置１８を経由して前記打球発射装置１６に導かれる。
【００１９】
次に、遊技機に組み込まれる電気回路が設けられた基板や電気機器といった、電気系統の構成を説明する。図２から図４は、本発明に係る遊技機に組み込まれる電気系統を示す概略図である。図２は、機器本体１の前面に軸着された透明板保持枠３を開いて該機器本体１の前面と該透明板保持枠３の後面を露出させた状態を示している。一方、図３は、機器本体１の後面に軸着された機構板６を開いて該機器本体１の後面と該機構板６の前面を露出させた状態を示している。また、図４は、機器本体１から取り外した遊技盤２を後面側から見た状態を示している。
【００２０】
まず、大略構成を説明すると、図３の左側に示したように、機器本体１には、電源基板２１と、送受信回路２２を備える制御基板２３と、三つのアンテナ回路２４（２４ａ〜２４ｃ）とが設けられ、これらは電気的に接続されている。さらに、電気機器２５が前記制御基板２３に電気的に接続されるように設けられている。一方、図２の左側に示した透明板保持枠３と、図３の右側に示した機構板６と、図４に示した遊技盤２といった、機枠体３０には、電源基板３１と、送受信回路３２を備える制御基板３３と、アンテナ回路３４（３４ａ〜３４ｃ）とが其々設けられ、さらに、電気機器３５が前記制御基板３３に電気的に接続されるように設けられている。なお、機枠体３０としての透明板保持枠３と機構板６と遊技盤２とに設けられた電気系統の構成は同等である。従って、これら機枠体３０の各種電気部品には同じ符号を付与し、一括して説明をする。
【００２１】
次に、機器本体１に設けられた電気系統の説明をする。図３の左側に示したように、前記電源基板２１には外部電源より２４Ｖの交流（ＡＣ）電流が入力される。そして、この電源基板２１がパチンコ遊技機に設けられた各種電気機器や各種基板の電気回路を作動させる電力を生成する。前記制御基板２３は、電気機器２５をコントロールする制御信号の入出力および処理を行なって、各種電気機器や各種電気回路を協調して作動させる。前記送受信回路２２は、機器本体１から各機枠体３０へ電力を送信すると共に、機器本体１と各機枠体３０との間で制御信号を送受信するための電気回路が組み込まれている。そして、前記アンテナ回路２４ａ〜２４ｃを其々駆動させ、機枠体３０のアンテナ回路３４ａ〜３４ｃとの間で行なわれる通信を制御する。前記電気機器２５は、例えば図１に示したような、操作ハンドル１５に組み込まれた操作検知センサや、打球発射装置１６を作動させるモータやソレノイドといった、電気で作動する機器である。
【００２２】
次に、機枠体３０に設けられた電気系統を説明する。前記送受信回路３２には、機器本体１と機枠体３０との間で制御信号を送受信すると共に、該機器本体１より電力を受信するための電気回路が組み込まれている。この送受信回路３２が前記アンテナ回路３４ａ〜３４ｃを其々駆動させ、機器本体１のアンテナ回路２４ａ〜２４ｃとの間で行なわれる通信が制御される。前記制御基板３３は、電気機器３５と電源基板３１とをコントロールする制御信号の入出力および処理を行なって、各種電気機器や各種電気回路を協調して作動させる。また、前記電源基板３１には、アンテナ回路３４ａ〜３４ｃにより受信された電力が制御基板路３３を経由して入力される。そして、電源基板３１は、機枠体３０の各種電気機器や各種基板の電気回路を作動させる電力を生成し、さらに、電力の受信状態を監視すると共に蓄電を行なう。前記電気機器３５は、例えば図１に示したような、表示装置８の液晶パネル、通過ゲート９の球検知センサ、開閉入賞装置１０の開閉羽根を駆動させるソレノイド、装飾部材１２や透明板保持枠３の前面に取り付けられたランプや発光ダイオードといった、電気で作動する機器である。
【００２３】
前記機器本体１の前面に設けられたアンテナ回路２４ａは、透明板保持枠３の後面に設けられたアンテナ回路３４ａに対応しており、透明板保持枠３を閉じると両アンテナ回路２４ａ，３４ａが正対して相互に通信可能になる。同様に、機器本体１の後面に設けられたアンテナ回路２４ｂは、機構板６の前面に設けられたアンテナ回路３４ｂに対応しており、機構板６を閉じると両アンテナ回路２４ｂ，３４ｂが正対して相互に通信可能になる。さらに、機器本体１の後面のアンテナ回路２４ｃは、遊技盤２に設けられたアンテナ回路３４ｃに対応し、遊技盤２を機器本体１に取り付けると両アンテナ回路２４ｃ，３４ｃが正対して相互に通信可能になる。このように、機器本体１と各機枠体３０間には正対する一対のアンテナ回路２４，３４が其々設けられ、機器本体１と各機枠体３０との間における電力供給や制御信号の送受信が行なわれるようになっている。
【００２４】
なお、ここで言う制御信号とは、各種電気機器や各種電気回路に対して制御基板２３，３３から送信される出力信号と、各種電気機器や各種電気回路から送信され制御基板２３，３３が受信する入力信号との両方を指す。出力信号としては、例えば、モータの回転開始や停止、ランプの点灯や消灯といった、各種電気機器の動作をコントロールしたり、または、基板に設けられた電気回路をコントロールしたりするための信号がある。また、入力信号としては、遊技者による操作ハンドルの回転操作や操作スイッチの押圧、もしくは、センサによるパチンコ球の通過検出やモータの回転角検出等により電気機器より発せられる信号があり、加えて、電気回路より発せられ電気系統の作動状況を知らせる通知信号がある。
【００２５】
図５は、本発明に係る遊技機の機器本体および機枠体に設けられる電気回路のブロック図である。図中（ａ）は機器本体１に組み込まれる各種電気回路を示し、一方、図中（ｂ）は機枠体３０に組み込まれる各種電気回路を示している。この図５に従って、まず、機器本体１と機枠体３０の各種基板に実装される電気回路の主な構成を説明する。
【００２６】
機器本体１の前記電源基板２１は電源回路４０を備え、また、前記制御基板２３は制御回路４１および送受信回路２２を備える。前記電気機器２５は、制御回路４１に電気的に接続され、制御信号の入出力により、その動作がコントロールされる。前記送受信回路２２には、変調回路４２、駆動回路４３、送受信切替器４４、フィルタ回路４５、復調回路４６が組み込まれる。また、送受信切替器４４に前記アンテナ回路２４が接続される。
【００２７】
一方で、機枠体３０の制御基板３３に実装された送受信回路３２にも、変調回路５０、駆動回路５１、送受信切替器５２、フィルタ回路５３、復調回路５４が、機器本体１の送受信回路２２と同様に組み込まれる。そして、送受信切替器５２に前記アンテナ回路３４が接続される。また、前記制御基板３３は制御回路５５を備え、この制御回路５５に前記電気機器３５が電気的に接続されていて、その動作がコントロールされる。さらに、電源基板３１は、整流回路５６、電源回路５７、受電電力監視回路５８、蓄電回路５９を備え、電力の受信状態を監視したり、受信した電力の蓄電を行なう。そして、機枠体３０のアンテナ回路３４は、機枠体３０を機器本体１に対して装着したときに、機器本体１のアンテナ回路２４に正対するように設けられており、上記アンテナ回路２４，３４間において電磁波の交換による通信が可能となる。こうして、機器本体１と機枠体３０との間の電力供給と制御信号の送受信が行なわれる。
【００２８】
次に、機器本体１の電気回路の説明をする。前記電源回路４０に交流（ＡＣ）２４Ｖの外部電源が接続される。電源回路４０は交流−直流変換を行なって、パチンコ遊技機の各種電気機器や各種電気回路を作動させるのに必要な直流電力を生成する。前記制御回路４１は内部に不揮発性メモリを有し、ここに各種電気機器や各種電気回路を制御するためのプログラムが記録されている。このプログラムに従って制御信号の入出力や処理が行なわれる。
【００２９】
前記変調回路４２は、制御回路４１より出力された制御信号を適宜周波数の搬送波に乗せ、送信に適した電気信号に変換する。さらに、この電気信号には、前記電源回路４０が出力する直流電力からインバータにより生成した交流電力が混合されており、この交流電力が機枠体３０へ供給される電力となる。前記駆動回路４３は、変調回路４２が生成した電気信号を前記アンテナ回路２４へ流し込み、電気信号を電磁波としてアンテナ回路２４より放射させる。また、前記送受信切替器４４は、電磁波の送信動作と受信動作の切り替えを行なう。この切り替えは前記制御回路４１が送出する制御信号によりコントロールされる。
【００３０】
前記アンテナ回路２４は、コイル状に形成された電気伝導体からなり、電気信号を電磁波として送信し、また、電磁波を電気信号として受信する。前記フィルタ回路４５は、受信した電気信号から所望の周波数成分を抽出する回路であり、また、前記復調回路４６は前記フィルタ回路４５の後段側に設けられ、電気信号から制御信号を復元する復調を行なう回路である。復調された制御信号は制御回路４１へ入力される。
【００３１】
次に、機枠体３０の電気回路を説明する。機枠体３０のアンテナ回路３４および送受信回路３２に設けられた各種回路の構成は、前記機器本体１のアンテナ回路２４と送受信回路２２の構成と同様である。すなわち、前記アンテナ回路３４は、コイル状に形成された電気伝導体からなり、電気信号を電磁波として送信し、また、電磁波を電気信号として受信する。送受信回路３２の前記変調回路５０は、前記制御回路５５より出力された制御信号を適宜周波数の搬送波に乗せ、送信に適した電気信号に変換する。前記駆動回路５１は、変調回路５０が生成した電気信号を前記アンテナ回路３４へ流し込み、電気信号を電磁波としてアンテナ回路３４より放射させる。前記フィルタ回路５３は、受信した電気信号から所望の周波数成分を抽出する回路であり、また、前記復調回路５４は前記フィルタ回路５３の後段側にて電気信号から制御信号を復元する復調を行なう回路である。復調された制御信号は前記制御回路５５へ入力される。また、前記送受信切替器５２が、前記アンテナ回路３４の送信動作と受信動作の切り替えを行ない、この切り替えは前記制御回路５５が送出する制御信号によりコントロールされる。そして、前記制御回路５５は、機器本体１の制御回路４１と同様に内部に不揮発性メモリを有し、ここに各種電気機器や各種電気回路を制御するためのプログラムが記録されている。このプログラムに従って制御信号の入出力や処理が行なわれる。
【００３２】
電源基板３１の前記整流回路５６は、電流を一方向にのみ流し得るダイオードの性質を利用して、受信した交流電力を直流電力に変換する回路である。この直流電力は前記電源回路５７へ入力されると共に、該電源回路５７が機枠体３０の各種電気機器と各種電気回路に供給される作動用電力を生成する。また、この電源回路５７に接続される前記受電電力監視回路５８は、機器本体１より受信する電力の受電状態を監視する回路である。受電状態は前記制御回路５５へ送信される。さらに、前記蓄電回路５９は、例えば、リチウムイオン二次電池や電気二重層コンデンサのような充電機能を有する回路であり、受電した電力を蓄えることができ、また、必要に応じて放電し、各種電気機器や各種電気回路に電力を供給することができるものである。
【００３３】
なお、上述した整流回路５６、電源回路５７、受電電力監視回路５８、および、蓄電回路５９は、電源基板３１に実装してもよいし、または、制御基板３３に一体に実装するようにしてもよい。すなわち、必要に応じて、電源基板３１と制御基板３３とを別体で設けてもよいし、または、制御基板３３に各種回路を一体化して実装し、電源基板３１を不要としてもよい。
【００３４】
また、アンテナ回路２４，３４による機器本体１と機枠体３０間の電気信号の送受信に際しては、上述したように、送受信切替器４４および送受信切替器５２によってアンテナ回路２４，３４間における電磁波の送信と受信の方向を切り替えることで、電気信号の送受信が正確にできるようになる。一方で、電気信号の送受信に別々の周波数の電磁波を用いることにより、送信と受信を切り替えることなく同時に行なって、送受信切替器４４，５２を不要とすることもできる。
【００３５】
加えて、機器本体１から機枠体３０への無線電力送信は、アンテナ回路２４に流し込まれる交流電流により該アンテナ回路２４の周囲の磁場を変動させ、この磁場の変動によりアンテナ回路３４を貫く磁束を変化させ、該アンテナ回路３４における電磁誘導で生ずる起電力を利用するといった、電磁誘導型の電力送信方法でもよい。または、固有振動数が同じ二つのアンテナ回路による電場の共鳴や磁場の共鳴を利用した、共鳴型の電力送信方法でもよい。
【００３６】
このように構成した遊技機では、機器本体１と機枠体３０との間で送受信される各種電気機器や各種電気回路の制御信号が、アンテナ回路２４，３４を経由して電磁波により無線で通信される。それと同時に、機枠体３０に設けられた各種電気機器や各種電気回路を作動させる電力も、前記アンテナ回路２４，３４を経由して電磁波により無線で通信される。そして、これら制御信号の送受信と電力の供給は、共通のアンテナ回路２４，３４を使用して行われる。よって、多数の信号線や電力線を機器本体１と機枠体３０間に配線する必要が無くなって、コードレス化できるようになる。こうして、電気ケーブルやコネクタを不要化して部品点数を削減することにより多くのスペースが確保でき、遊技機の設計の自由度を大きく向上させることができる。
【００３７】
また、機枠体３０と機器本体１とを電気的に接続にするに際して、電気ケーブルとコネクタの対応を逐一確認しながら一つ一つ導通させるという、面倒な作業が不要となって、設置が極めて容易になる。さらに、電気ケーブルの配線が不要であることにより、機枠体３０の装着時に懸念されていた配線噛みによる断線を皆無にすることができる。
【００３８】
さらに、機枠体３０の電源基板３１に蓄電回路５９を設けたことにより、機器本体１から機枠体３０へ供給された電力を蓄電しておき、必要に応じてこの蓄電された電力を利用することができる。すなわち、機枠体３０の電気機器３５に対して更に安定して電力を供給できるようになり、また、蓄電された電力の利用により、例えば、ソレノイドやモータ等の比較的大電力を消費する電気機器を機枠体３０に設けて安定して駆動させることができるようになる。
【００３９】
加えて、機枠体３０の電源基板３１に設けられた受電電力監視回路５８が受電状態を常時監視することにより、電力供給の異常を直ちに検出できる。従って、受電電力監視回路５８が電圧降下を検出したら警報が鳴るようにしておき、遊技者が機枠体３０を無理にこじ開けたりする等の不正行為を防止できるようになる。同様に、メンテナンス等で機枠体３０を装着した際に、受電電力監視回路５８の出力状態を見て、機枠体３０の取り付けが正確かどうかを容易に確認できるようになる。
【００４０】
上述した第一実施形態では、外部電力が入力される電源基板２１を機器本体１に設けると共に、無線による電力送信が、アンテナ回路２４，３４を介して機器本体１から機枠体３０に対して行なわれる構成を示した。一方で、前記電源基板２１を機枠体３０に設けると共に、該機枠体３０の電源基板２１に外部電力が入力されるようにし、無線電力送信が、アンテナ回路２４，３４を介して機枠体３０から機器本体１に対して行なわれるようにしてもよい。
【００４１】
図６は、このように構成した本発明の第二実施形態における機器本体と機構板の電気系統を示す概略図であって、機器本体１の後面に軸着された機構板６を開いて該機器本体１の後面と該機構板６の前面を露出させた状態を示している。また、図７は、本発明の第二実施形態の機器本体および機構板に設けられる電気回路のブロック図である。なお、第二実施形態における遊技機の構成と、透明板保持枠および遊技盤の電気系統の構成は、上述の第一実施形態と同一である。従って、同一の構成については同一の符号を付すことにより詳しい説明を省略し、相違する構成について説明する。
【００４２】
第二実施形態においては、電源回路４０を備える電源基板２１は、図６の右側に示したように、機枠体３０としての機構板６に設けられ、該電源基板２１へ外部電源からの２４Ｖの交流（ＡＣ）電流が入力される。一方で、電源基板３１は、図６の左側に示したように、機器本体１に設けられる。そして、前記電源基板２１の電源回路４０が生成し、機器本体１へと供給される電力は、機構板６のアンテナ回路３４ｂから機器本体１のアンテナ回路２４ｂへと無線送信され、前記制御基板２３を経由して前記電源基板３１に入力される。電源基板３１は、図７に示したように、整流回路５６、電源回路５７、受電電力監視回路５８、蓄電回路５９を備え、電力の受信状態を監視したり、受信した電力の蓄電を行なうと共に、機器本体１の各種電気機器や各種電気回路の作動用電力を供給する。
【００４３】
また、前記透明板保持枠３への電力供給は、機器本体１が受け取った電力を該機器本体１のアンテナ回路２４ａから再度送信し、それを透明板保持枠３のアンテナ回路３４ａで受信することにより行なわれる。同様に、前記遊技盤２への電力供給は、機器本体１が受け取った電力を該機器本体１のアンテナ回路２４ｃから再度送信し、それを遊技盤２のアンテナ回路３４ｃで受信することにより行なわれる。このようにして、無線による電力供給を複数回の無線送信により行なうことも可能である。
【図面の簡単な説明】
【００４４】
【図１】第一実施形態の遊技機の透明板保持枠を開いた状態を示す正面図。
【図２】第一実施形態の遊技機に組み込まれる電気系統を示す概略図。
【図３】第一実施形態の遊技機に組み込まれる電気系統を示す概略図。
【図４】第一実施形態の遊技機に組み込まれる電気系統を示す概略図。
【図５】第一実施形態の遊技機の機器本体および機枠体に設けられる電気回路のブロック図。
【図６】第二実施形態の遊技機の機器本体と機構板の電気系統を示す概略図。
【図７】第二実施形態の遊技機の機器本体および機構板に設けられる電気回路のブロック図。
【図８】従来の配線接続手段を採用したパチンコ遊技機の概略図。
【符号の説明】
【００４５】
１              機器本体
２              遊技盤
３              透明板保持枠
６              機構板
２４            アンテナ回路
２５            電気機器
３０            機枠体
３４            アンテナ回路
３５            電気機器
４０            電源回路
４１            制御回路
４２            変調回路
４３            駆動回路
４４            送受信切替器
４５            フィルタ回路
４６            復調回路
５０            変調回路
５１            駆動回路
５２            送受信切替器
５３            フィルタ回路
５４            復調回路
５５            制御回路
５６            整流回路
５７            電源回路
５８            受電電力監視回路
５９            蓄電回路
【図１】
2009153659.tif 000003
【図２】
2009153659.tif 000004
【図３】
2009153659.tif 000005
【図４】
2009153659.tif 000006
【図５】
2009153659.tif 000007
【図６】
2009153659.tif 000008
【図７】
2009153659.tif 000009
【図８】
2009153659.tif 000010